(57)【要約】【課題】基板に実装される場合に低コスト化に寄与できる、電源回路を内蔵する集積回路装置、これを含む表示モジュール、表示システム及び電子機器等を提供する。【解決手段】液晶駆動装置１００Ｍは、液晶駆動電圧を生成する液晶駆動電圧生成回路１５０と、液晶駆動電圧生成回路１５０によって生成された液晶駆動電圧が印加される液晶駆動電圧出力端子Ｖ３Ｏと、液晶駆動電圧出力端子Ｖ３Ｏに印加された液晶駆動電圧が外部を介して供給される液晶駆動電圧入力端子Ｖ３Ｉと、液晶駆動電圧入力端子Ｖ３Ｉからの液晶駆動電圧が供給され、液晶駆動を行う液晶駆動回路１４０とを含む。【選択図】図６
2012018297.tif 000002
【特許請求の範囲】
【請求項１】
電源電圧を生成する電源回路と、
前記電源回路によって生成された電源電圧が印加される電源電圧出力端子と、
前記電源電圧出力端子に印加された前記電源電圧が外部を介して供給される第１の電源電圧入力端子と、
前記第１の電源電圧入力端子からの前記電源電圧が供給され所与の処理を行う処理回路とを含むことを特徴とする集積回路装置。
【請求項２】
請求項１において、
前記電源電圧出力端子及び前記第１の電源電圧入力端子は、隣接して配置されることを特徴とする集積回路装置。
【請求項３】
請求項１又は２において、
前記処理回路は、
画素形成領域において第１の方向に配設された第１の電極と、該画素形成領域において前記第１の方向と交差する第２の方向に配設された第２の電極とを駆動する電極駆動回路であり、
前記電源回路は、
前記第１の電極及び前記第２の電極の少なくとも一方に供給する駆動電圧を生成することを特徴とする集積回路装置。
【請求項４】
前記画素形成領域が形成されるパネル基板と、
前記パネル基板に実装され、前記画素形成領域内の前記第１の電極及び前記第２の電極を駆動する請求項３記載の集積回路装置と、
前記電源電圧出力端子に電気的に接続される第１の信号線及び前記第１の電源電圧入力端子に電気的に接続される第２の信号線が形成されるフレキシブル基板とを含むことを特徴とする表示モジュール。
【請求項５】
前記画素形成領域が形成されるパネル基板と、
前記パネル基板に実装され、前記画素形成領域の第１の領域内の前記第１の電極及び前記第２の電極を駆動する請求項３記載の集積回路装置と、
前記パネル基板に実装され、前記画素形成領域の第２の領域内の前記第１の電極及び前記第２の電極と電気的に接続されると共に、第２の電源電圧入力端子を有する電極駆動装置と、
前記電源電圧出力端子に電気的に接続される第１の信号線、前記第１の電源電圧入力端子に電気的に接続される第２の信号線、及び前記第２の電源電圧入力端子に電気的に接続される第３の信号線が形成される１又は複数のフレキシブル基板とを含むことを特徴とする表示モジュール。
【請求項６】
請求項５において、
前記第１の信号線、前記第２の信号線及び前記第３の信号線は、電気的に接続されることを特徴とする表示モジュール。
【請求項７】
請求項４記載の表示モジュールと、
前記フレキシブル基板に形成される前記第１の信号線及び前記第２の信号線と電気的に接続されるバイパスコンデンサーが実装される回路基板とを含むことを特徴とする表示システム。
【請求項８】
請求項６又は７記載の表示モジュールと、
前記１又は複数のフレキシブル基板に形成される前記第１の信号線、前記第２の信号線及び前記第３の信号線と電気的に接続されるバイパスコンデンサーが実装される回路基板とを含むことを特徴とする表示システム。
【請求項９】
請求項６記載の表示モジュールと、
前記１又は複数のフレキシブル基板に形成される前記第１の信号線、前記第２の信号線及び前記第３の信号線と電気的に接続されるバイパスコンデンサーが実装される回路基板とを含み、
前記回路基板において、前記第１の信号線、前記第２の信号線及び前記第３の信号線は、電気的に接続されることを特徴とする表示システム。
【請求項１０】
請求項１乃至３のいずれか記載の集積回路装置を含むことを特徴とする電子機器。
【発明の詳細な説明】
【技術分野】
【０００１】
本発明は、集積回路装置、これを含む表示モジュール、表示システム及び電子機器等に関する。
【背景技術】
【０００２】
表示モジュールや表示システムは、携帯電話機やパーソナルコンピューター等の電子機器の表示装置として採用され、表示モジュール等には、その用途に応じた画面サイズの表示パネルが搭載される。この表示パネルは、画面サイズに応じて、１又は複数の液晶駆動装置（集積回路装置）によって駆動される。複数の液晶駆動装置がＣＯＧ実装（Chip On Glass）実装によりガラス基板に搭載される場合、それぞれの液晶駆動装置がマスター・スレーブ構成で接続され、ガラス基板に形成される例えばＩＴＯ（Indium Tin Oxide）配線を介して、電気信号のやりとりが行われることになる。このとき、例えばマスター及びスレーブのいずれかに設定可能な液晶駆動装置では、内蔵する電源回路が生成した液晶駆動電圧の入出力端子を備える。マスター設定時には該入出力端子を介してスレーブ側に液晶駆動電圧を供給し、スレーブ設定時には該入出力端子を介してマスター側から液晶駆動電圧が供給される。こうしてマスター・スレーブ構成で接続された各液晶駆動装置が、画素形成領域内の対応する領域の液晶を駆動する。
【０００３】
この場合、各液晶駆動装置が駆動する領域間のむらを低減し、画質の劣化を防止する必要がある。ところが、ＩＴＯ配線は配線抵抗が大きく、集積回路装置としての液晶駆動装置内の配線抵抗に比べて、液晶駆動装置の端子と表示モジュールの端子との間に無視できない抵抗成分が付加される。このＩＴＯ配線の配線抵抗等によって、マスターに設定した液晶駆動装置内における液晶駆動電圧と、スレーブに設定した液晶駆動装置内における液晶駆動電圧との差が生じ、画素形成領域内でブロックむら（マスター・スレーブそれぞれの対応する領域でコントラスト差）が発生する。
【０００４】
例えば特許文献１には、出力アンプ部に階調電圧を出力する階調電圧出力回路の出力同士を短絡することで領域毎の階調を適切に表現し、ブロックむらを低減する技術が開示されている。また、例えば特許文献２には、マスターに設定した液晶駆動装置とスレーブに設定した液晶駆動装置とで表示制御信号の遅延量が異なる場合に、外部配線を介して両者の表示制御信号の遅延量の差を少なくして画面内での濃淡差を低減する技術が開示されている。
【先行技術文献】
【特許文献】
【０００５】
【特許文献１】特開２００７−２８６５２６号公報
【特許文献２】特開２００１−９２４２４号公報
【発明の概要】
【発明が解決しようとする課題】
【０００６】
しかしながら、特許文献１に開示された技術では、階調電圧を共通化する配線の配線抵抗がないことが前提であり、マスター・スレーブ構成で接続されたＣＯＧ実装の液晶駆動装置によるブロックむらを低減させることができない。また、特許文献２に開示された技術では、表示制御信号の遅延量に起因した画面内での濃淡差について言及されており、ＣＯＧ実装されたマスター・スレーブ構成の各液晶駆動装置の液晶駆動電圧については開示も示唆もされていない。これにより、特許文献１及び特許文献２に開示された技術によれば、各液晶駆動装置間の液晶駆動電圧の差をなくすために液晶駆動装置内の電源回路を使用できず、外部に設けられた電源回路で生成した液晶駆動電圧を各液晶駆動装置に供給する必要がある。この結果、コスト高を招くという問題がある。
【０００７】
本発明は、以上のような技術的課題に鑑みてなされたものである。本発明の幾つかの態様によれば、基板に実装される場合に低コスト化に寄与できる、電源回路を内蔵する集積回路装置、これを含む表示モジュール、表示システム及び電子機器等を提供することができる。
【課題を解決するための手段】
【０００８】
（１）本発明の一態様は、集積回路装置が、電源電圧を生成する電源回路と、前記電源回路によって生成された電源電圧が印加される電源電圧出力端子と、前記電源電圧出力端子に印加された前記電源電圧が外部を介して供給される第１の電源電圧入力端子と、前記第１の電源電圧入力端子からの前記電源電圧が供給され、所与の処理を行う処理回路とを含む。
【０００９】
本態様によれば、基板に実装され、電源回路を内蔵する集積回路装置が外部回路に電源電圧を供給する場合に、集積回路装置内と外部回路とで電源電圧の電圧レベルの差を容易に揃えることができる。これにより、外部の電源回路で生成した電源電圧を当該集積回路及び外部回路に供給する必要がなくなり、内蔵する電源回路を使用できるようになり、低コスト化を図ることができるようになる。
【００１０】
（２）本発明の他の態様に係る集積回路装置では、前記電源電圧出力端子及び前記第１の電源電圧入力端子は、隣接して配置される。
【００１１】
本態様によれば、マスター・スレーブ構成ではなく、１チップで構成されていても、電源電圧出力端子と第１の電源電圧入力端子を最短距離で接続することができるので、配線抵抗が大きい材質で接続する場合でも、電圧降下が小さくなり、高精度に電圧を揃えることが可能となる。
【００１２】
（３）本発明の他の態様に係る集積回路装置では、前記処理回路は、画素形成領域において第１の方向に配設された第１の電極と、該画素形成領域において前記第１の方向と交差する第２の方向に配設された第２の電極とを駆動する電極駆動回路であり、前記電源回路は、前記第１の電極及び前記第２の電極の少なくとも一方に供給する駆動電圧を生成する。
【００１３】
本態様によれば、表示パネル等を駆動する集積回路装置に適用することができる。
【００１４】
（４）本発明の他の態様は、表示モジュールが、前記画素形成領域が形成されるパネル基板と、前記パネル基板に実装され、前記画素形成領域内の前記第１の電極及び前記第２の電極を駆動する上記記載の集積回路装置と、前記電源電圧出力端子に電気的に接続される第１の信号線及び前記第１の電源電圧入力端子に電気的に接続される第２の信号線が形成されるフレキシブル基板とを含む。
【００１５】
本態様によれば、表示パネル等を駆動する集積回路装置が内蔵する電源回路を使用することで、他の集積回路装置に電源電圧を供給する場合でも、他の集積回路装置との間で電圧レベルの差の少ない電源電圧で当該集積回路装置を動作させることができる。これにより、表示モジュールの低コスト化を図ることができる。
【００１６】
（５）本発明の他の態様は、表示モジュールが、前記画素形成領域が形成されるパネル基板と、前記パネル基板に実装され、前記画素形成領域の第１の領域内の前記第１の電極及び前記第２の電極を駆動する上記記載の集積回路装置と、前記パネル基板に実装され、前記画素形成領域の第２の領域内の前記第１の電極及び前記第２の電極と電気的に接続されると共に、第２の電源電圧入力端子を有する電極駆動装置と、前記電源電圧出力端子に電気的に接続される第１の信号線、前記第１の電源電圧入力端子に電気的に接続される第２の信号線、及び前記第２の電源電圧入力端子に電気的に接続される第３の信号線が形成される１又は複数のフレキシブル基板とを含む。
【００１７】
本態様によれば、集積回路装置が内蔵する電源回路を使用することで、当該集積回路装置を含む複数の集積回路装置で表示パネル等を駆動する場合に、表示モジュールの低コスト化を図ることができる。
【００１８】
（６）本発明の他の態様に係る表示モジュールは、前記第１の信号線、前記第２の信号線及び前記第３の信号線は、電気的に接続される。
【００１９】
本態様によれば、表示モジュールの低コスト化を図ることができる。
【００２０】
（７）本発明の他の態様は、表示システムが、上記記載の表示モジュールと、前記フレキシブル基板に形成される前記第１の信号線及び前記第２の信号線と電気的に接続されるバイパスコンデンサーが実装される回路基板とを含む。
【００２１】
（８）本発明の他の態様は、表示システムが、上記のいずれか記載の表示モジュールと、前記１又は複数のフレキシブル基板に形成される前記第１の信号線、前記第２の信号線及び前記第３の信号線と電気的に接続されるバイパスコンデンサーが実装される回路基板とを含む。
【００２２】
（９）本発明の他の態様は、表示システムが、上記記載の表示モジュールと、前記１又は複数のフレキシブル基板に形成される前記第１の信号線、前記第２の信号線及び前記第３の信号線と電気的に接続されるバイパスコンデンサーが実装される回路基板とを含み、前記回路基板において、前記第１の信号線、前記第２の信号線及び前記第３の信号線は、電気的に接続される。
【００２３】
上記のいずれかの態様によれば、集積回路装置が内蔵する電源回路を使用でき、表示システムの低コスト化を図ることができる。
【００２４】
（１０）本発明の他の態様は、電子機器が、上記のいずれか記載の集積回路装置を含む。
【００２５】
本態様によれば、集積回路装置が内蔵する電源回路を使用することで、当該集積回路装置を含む複数の集積回路装置において電圧レベルの差の少ない電源電圧で動作させることができ、電子機器の低コスト化を図ることができる。
【図面の簡単な説明】
【００２６】
【図１】第１の実施形態における表示システムの構成の概要を示す図。
【図２】第１の実施形態における液晶駆動装置の構成例のブロック図。
【図３】第１の実施形態における７レベルの液晶駆動電圧の関係を示す図。
【図４】ＭＬＳ駆動を行う場合のフィールド信号の説明図。
【図５】ＭＬＳ駆動法における駆動電圧の波形の一例を示す図。
【図６】液晶駆動電圧生成回路により生成された液晶駆動電圧の供給経路を示す図。
【図７】第１の実施形態における液晶駆動装置の端子配置を模式的に示す図。
【図８】第２の実施形態における表示システムの構成の概要を示す図。
【図９】第３の実施形態における表示システムの構成の概要を示す図。
【図１０】第３の実施形態における液晶駆動電圧の供給経路を示す図。
【図１１】第３の実施形態における液晶駆動装置の端子配置を模式的に示す図。
【図１２】図１２（Ａ）、図１２（Ｂ）は第１の実施形態〜第３の実施形態のいずれかの実施形態が適用された電子機器の構成を示す斜視図。
【発明を実施するための形態】
【００２７】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
また、以下では、本発明に係る集積回路装置として液晶駆動装置を例に説明するが、本発明に係る集積回路装置は、液晶駆動装置に限定されるものではない。また、以下の実施形態において、液晶駆動装置が、単純マトリックス型の液晶表示（Liquid Crystal Display：以下、ＬＣＤ）パネルを駆動する例を説明するが、本発明はこれに限定されるものではない。
【００２８】
〔第１の実施形態〕
図１に、本発明に係る第１の実施形態における表示システムの構成の概要を示す。
表示システム１０は、表示モジュール２０と、回路基板３００とを含む。表示モジュール２０は、ＬＣＤパネル３０と、液晶駆動装置１００Ｍ、１００Ｓと、フレキシブル基板２００とを含む。回路基板３００には、信号線が形成される共に、例えばフレキシブル基板２００には実装されない回路素子が実装される。図１では、回路基板３００に、液晶駆動装置１００Ｍ、１００Ｓの外付け回路として、電圧変動を抑えるバイパスコンデンサーＣｂが実装される。また、回路基板３００に形成される信号線を介して、表示システム１０の外部に設けられる例えばホストプロセッサー（図示せず）により、液晶駆動装置１００Ｍ、１００Ｓが制御される。
【００２９】
ＬＣＤパネル３０は、単純マトリックス型の液晶表示パネルである。ＬＣＤパネル３０は、一対の透明なガラス基板の間に、透明電極で形成され互いに交差するように配置された複数のコモン電極、複数のセグメント電極、配向膜及び液晶等を封入して形成される。ＬＣＤパネル３０は画素形成領域４０を有し、画素形成領域４０には、第１の方向に配設されたコモン電極と、第１の方向と交差する第２の方向に配設されたセグメント電極との交差位置に対応して画素が形成される。図１では、複数のコモン電極ＣＯＭ１〜ＣＯＭＮ（Ｎは２以上の整数）のコモン電極ＣＯＭｎ（１≦ｎ≦Ｎ、ｎは整数）と複数のセグメント電極ＳＥＧ１〜ＳＥＧＭ（Ｍは２以上の整数）のセグメント電極ＳＥＧｍ（１≦ｍ≦Ｍ、ｍは整数）とを図示している。液晶駆動装置１００Ｍ、１００Ｓは、マスター・スレーブ接続されており、ＬＣＤパネル３０を構成するガラス基板（広義にはパネル基板）上にＣＯＧ実装される。液晶駆動装置１００Ｍ、１００Ｓは、それぞれが対応するコモン電極に所与の液晶駆動電圧を供給するための複数のコモン電極出力端子と、それぞれが対応するセグメント電極に所与の液晶駆動電圧を供給するための複数のセグメント電極出力端子とを有する。マスターに設定された液晶駆動装置（集積回路装置）１００Ｍのコモン電極出力端子及びセグメント電極出力端子は、ＬＣＤパネル３０の対応する領域のコモン電極及びセグメント電極と電気的に接続される。スレーブに設定された液晶駆動装置１００Ｓのコモン電極出力端子及びセグメント電極出力端子もまた、ＬＣＤパネル３０の対応する領域のコモン電極及びセグメント電極と電気的に接続される。
【００３０】
ＬＣＤパネル３０を構成するガラス基板には、フレキシブル基板２００が接続される。フレキシブル基板２００には、多層構造の信号線が形成されており、液晶駆動装置１００Ｍ、１００Ｓの複数の端子は、フレキシブル基板２００に形成された信号線を介して電気的に互いに接続される。また、液晶駆動装置１００Ｍ、１００Ｓの複数の端子は、フレキシブル基板２００の信号線を介して、回路基板３００に形成された信号線や回路素子と電気的に接続される。
【００３１】
液晶駆動装置１００Ｍは、液晶駆動電圧生成回路（広義には電源回路）を有し、コモン電極及びセグメント電極に供給するための複数種類の液晶駆動電圧を生成する。液晶駆動装置１００Ｍは、出力専用端子である液晶駆動電圧出力端子（電源電圧出力端子）ＴＭ１、入力専用端子である液晶駆動電圧入力端子（第１の電源電圧入力端子）ＴＭ２、接地電源端子ＴＭ３を少なくとも含む。接地電源端子ＴＭ３は、液晶駆動電圧出力端子ＴＭ１とは別に設けられ、液晶駆動電圧を出力するための液晶駆動電圧出力端子を兼用してもよい。液晶駆動装置１００Ｍは、液晶駆動電圧出力端子ＴＭ１を介して液晶駆動電圧ＤＶを出力する。液晶駆動電圧出力端子ＴＭ１は、ガラス基板に形成された図示しないＩＴＯ配線と、フレキシブル基板２００に形成された信号線（第１の信号線）２０２と、回路基板３００に形成された信号線３０２とを介して、バイパスコンデンサーＣｂの一端に電気的に接続される。液晶駆動電圧入力端子ＴＭ２は、ガラス基板に形成された図示しないＩＴＯ配線と、フレキシブル基板２００に形成された信号線２０４（第２の信号線）又は回路基板３００に形成された信号線３０４とを介して、液晶駆動電圧出力端子ＴＭ１と電気的に接続される。接地電源端子ＴＭ３は、ガラス基板に形成された図示しないＩＴＯ配線と、フレキシブル基板２００に形成された信号線２０６と、回路基板３００に形成された信号線３０６とを介して、バイパスコンデンサーＣｂの他端に電気的に接続される。
【００３２】
液晶駆動装置（広義には電極駆動装置）１００Ｓは、液晶駆動電圧入力端子（第２の電源電圧入力端子）ＴＭ１０、接地電源端子ＴＭ１１を少なくとも含む。液晶駆動電圧入力端子ＴＭ１０は、ガラス基板に形成された図示しないＩＴＯ配線と、フレキシブル基板２００に形成された信号線２０８（第３の信号線）又は回路基板３００に形成された信号線３０８とを介して、バイパスコンデンサーＣｂの一端に電気的に接続される。接地電源端子ＴＭ１１は、フレキシブル基板２００に形成された信号線２１０と、回路基板３００に形成された信号線３１０とを介して、バイパスコンデンサーＣｂの他端に電気的に接続される。
【００３３】
液晶駆動装置１００Ｍは、内蔵する液晶駆動電圧生成回路において生成した液晶駆動電源電圧ＤＶを、液晶駆動電圧出力端子ＴＭ１を介して外部に出力する。また、この液晶駆動装置１００Ｍには、液晶駆動電圧入力端子ＴＭ２を介して液晶駆動電圧ＤＶが供給される。液晶駆動装置１００Ｓにおいても、液晶駆動装置１００Ｍから出力された液晶駆動電圧ＤＶが、液晶駆動電圧入力端子ＴＭ１０を介して供給される。これにより、液晶駆動装置１００Ｍ、１００Ｓには、ＩＴＯ配線、フレキシブル基板２００又は回路基板３００に形成された信号線を介して、液晶駆動電圧ＤＶが供給される。内蔵する液晶駆動電圧生成回路で生成した液晶駆動電圧ＤＶを液晶駆動装置１００Ｍの内部でそのまま液晶駆動電圧として用いる場合、外部配線の配線抵抗によって、液晶駆動装置１００Ｍ、１００Ｓで液晶駆動電圧ＤＶの電圧レベルの差異が生ずる。これに対して、図１では、液晶駆動装置１００ＭにもＩＴＯ配線を介して液晶駆動電圧ＤＶが供給されるようになり、液晶駆動装置１００Ｍ、１００Ｓで液晶駆動電圧ＤＶの電圧レベルを揃えることができるようになる。これにより、画素形成領域４０内においてブロックむらを低減することができる。この結果、液晶駆動装置１００Ｍ内の液晶駆動電圧生成回路を使用でき、外部に電源回路を設けることなく、低コストで、表示モジュール２０や表示システム１０を提供できるようになる。
【００３４】
以下では、液晶駆動装置１００Ｍ、１００Ｓが、４ライン同時選択のＭＬＳ（Multi Line Selection）駆動法によりＬＣＤパネルを駆動する例に適用した場合について説明する。
図２に、液晶駆動装置１００Ｍの構成例のブロック図を示す。図２では、液晶駆動装置１００Ｍの構成例を示すが、液晶駆動装置１００Ｓの構成も図２と同様の構成を採用することができる。また、液晶駆動装置１００Ｓは、液晶駆動電圧生成回路が省略された構成を有していてもよい。
液晶駆動装置１００Ｍは、インターフェイス回路１１０と、発振回路１１２と、制御回路１１４と、モード設定レジスター１１６と、コモンアドレスデコーダー１１８と、コモン出力演算回路１２０とを含む。更に、液晶駆動装置１００Ｍは、ページアドレス制御回路１２２と、カラムアドレス制御回路１２４と、ラインアドレス制御回路１２６と、表示データＲＡＭ１２８と、表示データラッチ回路１３０と、ＭＬＳデコーダー１３２とを含む。更にまた、液晶駆動装置１００Ｍは、液晶駆動回路（広義には処理回路、電極駆動回路）１４０と、液晶駆動電圧生成回路１５０とを含む。液晶駆動回路１４０は、コモン電極駆動回路としてのコモンドライバー１４２と、セグメント電極駆動回路としてのセグメントドライバー１４４とを含む。
【００３５】
インターフェイス回路１１０は、入力端子又は入出力端子を介して図示しないホストプロセッサーから入力される制御信号の入力インターフェイス処理を行う。またインターフェイス回路１１０は、出力端子又は入出力端子を介して液晶駆動装置１００Ｓ又はホストプロセッサーに出力する出力信号の出力インターフェイス処理を行う。発振回路１１２は、液晶駆動装置１００Ｍが生成する表示タイミング信号の基準となる発振クロックＯＳＣを発振動作により生成する。制御回路１１４は、発振クロックＯＳＣに基づいて、複数種類の表示タイミング信号を生成する。制御回路１１４は、コモンアドレスデコーダー１１８等の液晶駆動装置１００Ｍの各部を制御する制御信号を生成する。モード設定レジスター１１６には、マスターモード又はスレーブモードを指定するための制御データが設定される。この制御データは、ホストプロセッサーがインターフェイス回路１１０を介してモード設定レジスター１１６に設定する。マスターモードに設定されたとき、液晶駆動装置１００Ｍは、液晶駆動電圧生成回路１５０において液晶駆動電圧を生成し、各液晶駆動電圧を対応する液晶駆動電圧出力端子を介して一旦外部に出力する。そして、液晶駆動装置１００Ｍは、対応する液晶駆動電圧入力端子を介して外部から入力される液晶駆動電圧を用いて、液晶駆動回路１４０によりコモン電極及びセグメント電極を駆動する。一方、スレーブモードに設定されたとき、液晶駆動装置１００Ｍは、液晶駆動電圧生成回路１５０の動作を停止する。そして、液晶駆動装置１００Ｍは、対応する液晶駆動電圧入力端子を介して外部から入力される液晶駆動電圧を用いて、液晶駆動回路１４０によりコモン電極及びセグメント電極を駆動する。液晶駆動装置１００Ｓは、スレーブモードに設定された液晶駆動装置１００Ｍと同様の液晶駆動制御を行う。
【００３６】
コモンアドレスデコーダー１１８は、制御回路１１４において生成されＭＬＳ駆動において同時選択される複数のコモン電極に対応したコモンアドレスをデコードする。このデコード結果はコモンドライバー１４２に出力される。コモンアドレスは、同時選択される複数のコモン電極毎に割り当てられ、ＭＬＳ駆動を行う際にコモンアドレスを指定することで、対応するコモン電極が選択される。コモン出力演算回路１２０は、制御回路１１４において生成される液晶交流化信号ＦＲ、ＭＬＳ駆動パターンを識別するフィールド信号Ｆ１、Ｆ２に基づいて、コモン出力の出力レベルを制御する。
【００３７】
ページアドレス制御回路１２２は、インターフェイス回路１１０を介してホストプロセッサーから入力される表示データを表示データＲＡＭ１２８にアクセスするためのページアドレスを制御する。ページアドレスは、ホストプロセッサーから入力される表示データのバス幅をアクセス単位として定義される。カラムアドレス制御回路１２４は、インターフェイス回路１１０を介してから入力される表示データを表示データＲＡＭ１２８にアクセスするためのカラムアドレスを制御する。カラムアドレスは、ＬＣＤパネル３０のセグメント電極に対応して定義される。ラインアドレス制御回路１２６は、表示データＲＡＭ１２８に保存された表示データのうち読み出しラインを特定するラインアドレスを制御する。ラインアドレスは、ＬＣＤパネル３０のコモン電極に対応して定義される。表示データＲＡＭ１２８は、ＬＣＤパネル３０の画素の並びに対応して、各画素の表示データが記憶される記憶領域を有する。各記憶領域は、ページアドレス及びカラムアドレスにより特定される。これにより、表示データＲＡＭ１２８には、ページアドレス及びカラムアドレスにより特定される領域に表示データが書き込まれる。一方、表示データＲＡＭ１２８からは１ライン単位で表示データが読み出される。表示データラッチ回路１３０は、表示データＲＡＭ１２８から読み出された１ライン分の表示データをラッチする。
【００３８】
ＭＬＳデコーダー１３２は、表示データと、制御回路１１４において生成されＭＬＳ駆動を行うための表示タイミング信号とをデコードする。より具体的には、ＭＬＳデコーダー１３２は、表示データラッチ回路１３０によってラッチされた表示データと、制御回路１１４によって生成される液晶交流化信号ＦＲ、フィールド信号Ｆ１、Ｆ２とに基づいて、セグメント出力の出力レベルを制御する。ＭＬＳデコーダー１３２は、公知のＭＬＳ演算によって、各セグメント電極に与える液晶駆動電圧を決定する。このＭＬＳ演算結果に対応したＭＬＳデコーダー１３２のデコード結果は、液晶駆動回路１４０に出力される。
【００３９】
コモンドライバー１４２は、コモンアドレスデコーダー１１８のデコード結果に基づいて、コモン出力の選択／非選択を制御し、選択されたコモン出力として、コモン出力演算回路１２０で生成された出力レベルを出力する。セグメントドライバー１４４は、ＭＬＳデコーダー１３２のデコード結果に基づいて、セグメント電極に、ＭＬＳデコーダー１３２でデコードされた出力レベルを出力する。なお、セグメントドライバー１４４には、制御回路１１４において生成された表示オフ信号ＸＤＯＦにより、ＭＬＳデコーダー１３２のデコード結果にかかわらずセグメント電極に所与の出力レベルを出力して表示をオフにする制御を行うことができる。表示オフ信号ＸＤＯＦにより、コモン電極と同電位となるような出力レベルをセグメント電極に出力することで、表示をオフすることができる。このように、４ラインのコモン電極を同時に選択するＭＬＳ駆動では、公知のＭＬＳ演算によって各セグメント電極の駆動電圧を決定し、１フレーム期間内で４回の選択期間を設けることによって、画素のオン又はオフを制御する。選択期間を複数回設けているため、非選択期間における透過率の低下が少なくなり、ＬＣＤパネル３０の平均の透過率を向上させ、ＬＣＤパネル３０のコントラストを向上させることができる。このような４ラインのコモン電極を同時に選択するＭＬＳ駆動では、７レベルの液晶駆動電圧が用いられる。液晶駆動電圧生成回路１５０は、ＭＬＳ駆動を行うために用いられる７レベルの直流の液晶駆動電圧を生成する。
【００４０】
図３に、液晶駆動電圧生成回路１５０によって生成される７レベルの液晶駆動電圧の関係を示す。
液晶駆動電圧Ｖ３、ＭＶ３は、コモン電極の選択電圧である。液晶駆動電圧ＶＣは、コモン電極の非選択電圧であり、セグメント電極の駆動電圧である。液晶駆動電圧Ｖ２、Ｖ１、ＭＶ１、ＭＶ２は、セグメント電極の駆動電圧である。第１の実施形態では、液晶駆動電圧ＭＶ３は、接地電圧ＶＳＳと同電位に設定される。コモン出力演算回路１２０は、コモン出力の出力レベルを、液晶駆動電圧Ｖ３、ＶＣ、ＭＶ３のいずれかから選択する制御を行う。また、ＭＬＳデコーダー１３２は、セグメント出力の出力レベルを、液晶駆動電圧Ｖ２、Ｖ１、ＶＣ、ＭＶ１、ＭＶ２のいずれかから選択する制御を行う。
【００４１】
液晶駆動電圧Ｖ３、ＶＣの電圧差をｖ３、液晶駆動電圧Ｖ２、ＶＣの電圧差をｖ２、液晶駆動電圧Ｖ１、ＶＣの電圧差をｖ１とする。このとき、液晶駆動電圧ＶＣ、ＭＶ３の電圧差はｖ３、液晶駆動電圧ＶＣ、ＭＶ２の電圧差はｖ２、液晶駆動電圧ＶＣ、ＭＶ１の電圧差はｖ１である。ここで、液晶駆動電圧Ｖ２、Ｖ１の電圧差（＝液晶駆動電圧ＭＶ１、ＭＶ２の電圧差）が、液晶駆動電圧Ｖ１、ＶＣの電圧差（＝液晶駆動電圧ＶＣ、ＭＶ１の電圧差）と等しい。
【００４２】
図４に、４ラインのコモン電極を同時に選択するＭＬＳ駆動を行う場合のフィールド信号Ｆ１、Ｆ２の説明図を示す。
上述したＭＬＳ駆動において１フレーム期間内に設けられる各選択期間は、フィールド期間として、フィールド信号Ｆ１、Ｆ２により特定される。コモンドライバー１４２及びＭＬＳデコーダー１３２は、２ビットのフィールド信号Ｆ１、Ｆ２で表される４状態に対応した選択期間毎に、各コモン電極に液晶駆動電圧Ｖ３又は液晶駆動電圧ＭＶ３を出力する。各フィールド期間における各ラインの出力パターンは、走査パターンとして直交関数系により定義される。
【００４３】
このような構成の液晶駆動装置１００Ｍは、１水平走査期間毎に出力されるラッチパルスＬＰに同期して、コモンドライバー１４２が同時選択される複数のコモン電極に選択電圧又は非選択電圧を出力する。また液晶駆動装置１００Ｍは、セグメントドライバー１４４が表示データ及び表示タイミング信号に基づいてデコードした結果に対応した液晶駆動電圧を各セグメント電極に出力する。
【００４４】
図５に、４ラインのコモン電極を同時選択するＭＬＳ駆動法における駆動電圧の波形の一例を示す。
コモン電極には、予め選ばれた直交関数系により定義される走査パターンに従って、３つ（Ｖ３、ＶＣ、ＭＶ３）の液晶駆動電圧が適宜選択される。そして、同時選択されるコモン電極にそれぞれ印加されるようになっている。図５では、１画面を表示するのに必要な期間を１フレーム期間（Ｆ）とし、すべてのコモン電極を１回選択するのに必要な期間を１フィールド期間（ｆ）とし、コモン電極を１回選択するのに必要な期間を１コモン選択期間（Ｈ）とする。ここで、図５の「Ｈ１ｓｔ」は最初のコモン選択期間であり、「Ｈ２ｎｄ」は２番目のコモン選択期間である。また図５の「１ｆ」は最初のフィールド期間であり、「２ｆ」は２番目のフィールド期間である。更に、図５の「１Ｆ」は最初のフレーム期間であり、「２Ｆ」は２番目のフレーム期間である。
【００４５】
最初のフィールド期間１ｆ中の最初のコモン選択期間Ｈ１ｓｔにおいて選択される４ライン（ＣＯＭ０〜ＣＯＭ３）の走査パターンは、予め図４に示すように設定され、表示画面の状態によらず、常に（Ｖ３，Ｖ３，ＭＶ３，Ｖ３）である。
【００４６】
ここで、全画面表示を行う場合を考えると、画素（ＣＯＭ０，ＳＥＧ０）、画素（ＣＯＭ１，ＳＥＧ０）、画素（ＣＯＭ２，ＳＥＧ０）及び画素（ＣＯＭ３，ＳＥＧ０）に対応する１列目の表示パターンが、（オン、オン、オン、オン）である。両パターンを順番に比較すると、極性が一致する数に応じて、５レベル（Ｖ２、Ｖ１、ＶＣ、ＭＶ１、ＭＶ２）ある液晶駆動電圧のいずれかを選択する。例えば、「Ｖ３」が印加されているコモン電極ＣＯＭ０、ＣＯＭ１及びＣＯＭ３の場合には、「ＭＶ２」が液晶駆動電圧として選択されることにより液晶素子に印加される電圧は高くなる。一方、「ＭＶ３」が液晶駆動電圧として選択されるコモン電極ＣＯＭ２の場合には、「ＭＶ２」が液晶駆動電圧として選択されることにより液晶素子に印加される電圧は低くなる。
【００４７】
このように、４ラインのコモン電極ＣＯＭ０〜ＣＯＭ３について、各セグメント電極の列の不一致数を決定し、得られた選択電圧のデータをセグメントドライバー１４４に転送し、最初のコモン選択期間に上記手順によって決められた電圧を印加する。同様に、すべてのコモン電極について、この手順を繰り返すと、最初のフィールド期間（１ｆ）における動作が終了する。同様に２番目以降のフィールド期間についても、すべてのコモン電極について上記の手順を繰り返すと１つのフレーム期間（１Ｆ）が終わり、これにより１つの画面の表示が行われる。上記の手順に従い、全画面オンの場合のセグメント電極ＳＥＧ０に印加する電圧波形は図５に示すようになり、画素（ＣＯＭ０，ＳＥＧ０）に印加される電圧波形は図５に示すようになる。なお、図５におけるコモン電極の液晶駆動電圧ＶＣとセグメント電極の液晶駆動電圧ＶＣとは共通化される。また、液晶交流化信号ＦＲによって、例えば１フレーム期間毎に、液晶素子に印加される電圧の極性が反転するように制御される。
【００４８】
図６に、液晶駆動装置１００Ｍの液晶駆動電圧生成回路１５０により生成された液晶駆動電圧の供給経路を示す。図６において、液晶駆動装置１００Ｓは液晶駆動装置１００Ｍと同様の構成を有し、図２と同様の部分には同一符号を用いて最後に「Ｓ」を付加して示している。なお、図６では、ＬＣＤパネル３０を構成するガラス基板上に形成されるＩＴＯ配線の配線抵抗も図示している。
図７に、第１の実施形態における液晶駆動装置１００Ｍの端子配置を模式的に示す。図７では、液晶駆動装置毎に設けられたフレキシブル基板２００を介して回路基板３００と接続されている。また、液晶駆動装置１００Ｓの液晶駆動電圧出力端子Ｖ３ＯＳ〜ＶＳＳＳをあわせて図示し、図１又は図６と同様の部分には同一符号を付し、適宜説明を省略する。
【００４９】
液晶駆動装置１００Ｍ、１００Ｓにおける液晶駆動電圧Ｖ３、Ｖ２、Ｖ１、ＶＣ、ＭＶ１、ＭＶ２、ＭＶ３の少なくとも１つの電圧レベルが異なると、ブロックむらとして認識される。これに対して、第１の実施形態では、液晶駆動装置１００Ｍの液晶駆動電圧生成回路１５０において液晶駆動電圧Ｖ３〜ＭＶ３のうち液晶駆動電圧Ｖ３〜ＭＶ２（ＭＶ３は、接地電圧ＶＳＳと同電位）を生成する。液晶駆動電圧生成回路１５０は、昇圧回路１５２によりシステム電源電圧ＶＤＤと接地電圧ＶＳＳとの間の電圧を昇圧して昇圧電圧ＶＯＵＴを生成後、レギュレーター１５４で液晶駆動電圧Ｖ３を生成する。そして、液晶駆動電圧Ｖ３と接地電圧ＶＳＳとの間の電圧を抵抗分割して得られた分割電圧に基づいて、演算増幅器を用いて液晶駆動電圧Ｖ２、Ｖ１、ＶＣ、ＭＶ１、ＭＶ２を生成する。液晶駆動装置１００Ｍは、こうして生成した液晶駆動電圧Ｖ３〜ＭＶ２を一旦外部に出力した後、液晶駆動装置１００Ｍ、１００Ｓに供給する。
【００５０】
即ち、液晶駆動装置１００Ｍは、液晶駆動電圧出力端子Ｖ３Ｏ、Ｖ２Ｏ、Ｖ１Ｏ、ＶＣＯ、ＭＶ１Ｏ、ＭＶ２Ｏと、液晶駆動電圧入力端子Ｖ３Ｉ、Ｖ２Ｉ、Ｖ１Ｉ、ＶＣＩ、ＭＶ１Ｉ、ＭＶ２Ｉとを有する。そして、液晶駆動装置１００Ｍは、液晶駆動電圧出力端子Ｖ３Ｏ、Ｖ２Ｏ、Ｖ１Ｏ、ＶＣＯ、ＭＶ１Ｏ、ＭＶ２Ｏを介して、それぞれ液晶駆動電圧Ｖ３、Ｖ２、Ｖ１、ＶＣ、ＭＶ１、ＭＶ２を出力する。また、液晶駆動装置１００Ｍには、外部に一旦出力した液晶駆動電圧Ｖ３〜ＭＶ２が、液晶駆動電圧入力端子Ｖ３Ｉ、Ｖ２Ｉ、Ｖ１Ｉ、ＶＣＩ、ＭＶ１Ｉ、ＭＶ２Ｉを介して入力される。一方、液晶駆動装置１００Ｓは、液晶駆動電圧入力端子Ｖ３ＩＳ、Ｖ２ＩＳ、Ｖ１ＩＳ、ＶＣＩＳ、ＭＶ１ＩＳ、ＭＶ２ＩＳ、ＶＳＳＳを少なくとも有する。そして、液晶駆動装置１００Ｓには、液晶駆動電圧入力端子Ｖ３ＩＳ、Ｖ２ＩＳ、Ｖ１ＩＳ、ＶＣＩＳ、ＭＶ１ＩＳ、ＭＶ２ＩＳ、ＶＳＳＳを介して、液晶駆動装置１００Ｍによって生成された液晶駆動電圧Ｖ３〜ＭＶ３が入力される。
【００５１】
ＬＣＤパネル３０を構成するガラス基板には、液晶駆動電圧出力端子Ｖ３Ｏ〜ＭＶ２ＯとＩＴＯ配線（配線抵抗がそれぞれｒｖ３ｏ〜ｒｍｖ２ｏ）を介して電気的に接続される出力端子Ｔ１〜Ｔ６が設けられている。同様に、ガラス基板には、接地電源端子ＶＳとＩＴＯ配線（配線抵抗がｒｖｓｓ）を介して電気的に接続される端子Ｔ７が設けられている。また、このガラス基板には、液晶駆動電圧入力端子Ｖ３Ｉ〜ＭＶ２ＩとＩＴＯ配線（配線抵抗がそれぞれｒｖ３ｉ〜ｒｍｖ２ｉ）を介して電気的に接続される入力端子Ｔ１０〜Ｔ１５が設けられている。更に、このガラス基板には、液晶駆動電圧入力端子Ｖ３ＩＳ〜ＭＶ２ＩＳとＩＴＯ配線（配線抵抗がそれぞれｒｖ３ｉｓ〜ｒｍｖ２ｉｓ）を介して電気的に接続される入力端子Ｔ２０〜Ｔ２５が設けられている。同様に、ガラス基板には、接地電源端子ＶＳＳＳとＩＴＯ配線（配線抵抗がｒｖｓｓｓ）を介して電気的に接続される端子Ｔ２６が設けられている。更にまた、このガラス基板には、液晶駆動電圧出力端子Ｖ３Ｏ〜ＭＶ２Ｏ、ＶＳのそれぞれに対応して、１又は複数の回路基板出力端子が設けられる。図６では、各液晶駆動電圧出力端子に対応して、回路基板出力端子Ｔ３０〜Ｔ３６が設けられている。フレキシブル基板２００では、各出力端子と、これに対応する液晶駆動装置１００Ｍ側の端子、液晶駆動装置１００Ｓ側の端子及び回路基板出力端子とを電気的に接続する信号線が形成される。例えば、フレキシブル基板２００では、図６に示すように、出力端子Ｔ１と、これに対応する液晶駆動装置１００Ｍ側の入力端子Ｔ１０、液晶駆動装置１００Ｓ側の入力端子Ｔ２０及び回路基板出力端子Ｔ３０とを電気的に接続する信号線が形成される。回路基板３００には、各液晶駆動電圧出力端子と、液晶駆動電圧出力端子Ｔ７との間に挿入されるバイパスコンデンサーＣｂ１〜Ｃｂ６が実装される。
【００５２】
フレキシブル基板２００に形成される信号線の配線抵抗は、ガラス基板に形成されるＩＴＯ配線の配線抵抗に比べて小さい。液晶駆動装置１００Ｍの各液晶駆動電圧入力端子に接続されるＩＴＯ配線の配線抵抗と、液晶駆動装置１００Ｓの各液晶駆動電圧入力端子に接続されるＩＴＯ配線の配線抵抗とは、抵抗値を精度よく揃えることができる。これにより、液晶駆動電圧出力端子Ｖ３Ｏから液晶駆動電圧入力端子Ｖ３Ｉまでの信号経路の抵抗成分を、液晶駆動電圧出力端子Ｖ３Ｏから液晶駆動電圧入力端子Ｖ３ＩＳまでの信号経路の抵抗成分にほぼ一致させることが可能となる。同様に、他の液晶駆動電圧出力端子についても、各液晶駆動装置の液晶駆動電圧入力端子までの信号経路の抵抗成分をほぼ一致させることができる。この結果、液晶駆動装置１００Ｍ、１００Ｓは、液晶駆動電圧の差を高精度に揃えることができ、画素形成領域４０におけるブロックむらの発生を抑えることができる。そして、液晶駆動装置１００Ｍ内の液晶駆動電圧生成回路１５０を使用することで、外部に電源回路を設けることなく、低コストで、表示モジュール２０や表示システム１０を提供できるようになる。
【００５３】
〔第２の実施形態〕
第１の実施形態では、液晶駆動装置１００Ｍ、１００Ｓの端子に接続される信号線がフレキシブル基板２００に形成される例を示したが、本発明はこれに限定されるものではない。
図８に、本発明に係る第２の実施形態における表示システムの構成の概要を示す。図８において、図１と同様の部分には同一の符号を付し、適宜説明を省略する。
第２の実施形態における表示システム１０ａが第１の実施形態における表示システム１０と異なる点は、ＬＣＤパネル３０が複数のフレキシブル基板を介して回路基板３００に接続される点である。即ち、表示モジュール２０ａは、ＬＣＤパネル３０と、液晶駆動装置１００Ｍ、１００Ｓと、フレキシブル基板２８０ａ、２８２ａとを含んで構成される。図８では、フレキシブル基板２８０ａ、２８２ａのそれぞれに形成された信号線を介して、各液晶駆動装置の端子が回路基板３００に実装されるバイパスコンデンサーＣｂに電気的に接続される。
【００５４】
また、図８に示すようにフレキシブル基板上に形成した信号線により、液晶駆動装置１００Ｍの液晶駆動電圧出力端子とこれに対応する液晶駆動装置１００Ｍの液晶駆動電圧入力端子とを電気的に接続するようにしてもよい。こうすることで、回路基板３００の小型化を図ることができる。
以上説明したように、第２の実施形態においても、液晶駆動電圧出力端子から各液晶駆動装置の液晶駆動電圧入力端子までの信号経路の抵抗成分をほぼ一致させることができる。この結果、液晶駆動装置１００Ｍ、１００Ｓは、液晶駆動電圧の差を高精度に揃えることができ、画素形成領域４０におけるブロックむらの発生を抑えることができる。そして、液晶駆動装置１００Ｍ内の液晶駆動電圧生成回路を使用でき、外部に電源回路を設けることなく、低コストで、表示モジュール２０ａや表示システム１０ａを提供できるようになる。
【００５５】
〔第３の実施形態〕
第１の実施形態又は第２の実施形態では、マスター・スレーブ構成で接続された液晶駆動装置によるブロックむらを低減することで、外部の電源回路を不要にして低コスト化を図る例を説明したが、本発明はこれに限定されるものではない。第３の実施形態では、ＬＣＤパネル３０の画素形成領域を１つの液晶駆動装置で駆動する構成を有する。
図９に、本発明に係る第３の実施形態における表示システムの構成の概要を示す。図９において、図１と同様の部分には同一の符号を付し、適宜説明を省略する。
第３の実施形態における表示システム１０ｂが第１の実施形態における表示システム１０と異なる第１の点は、ＬＣＤパネル３０の画素形成領域が液晶駆動装置１００Ｍによって駆動される点である。更に第２の点は、ＬＣＤパネル３０がフレキシブル基板２００ｂを介して回路基板３００に接続される点である。即ち、表示モジュール２０ｂは、ＬＣＤパネル３０と、液晶駆動装置１００Ｍと、フレキシブル基板２００ｂとを含んで構成される。
【００５６】
図１０に、第３の実施形態における液晶駆動電圧の供給経路を示す。図１０において、図６と同様の部分には同一符号を付し、適宜説明を省略する。また、図１０においても、ＬＣＤパネル３０を構成するガラス基板上に形成されるＩＴＯ配線の配線抵抗も図示している。
図１１に、第３の実施形態における液晶駆動装置１００Ｍの端子配置を模式的に示す。図１１において、図７と同様の部分には同一符号を付し、適宜説明を省略する。
【００５７】
液晶駆動装置１００Ｍは、図６で説明したように生成した液晶駆動電圧Ｖ３〜ＭＶ２を一旦外部に出力した後、液晶駆動電圧入力端子を介して液晶駆動装置１００Ｍに再び供給する。図１０では、フレキシブル基板２００ｂに形成された信号線を介して、液晶駆動電圧出力端子とこれに対応する液晶駆動電圧入力端子とを電気的に接続している。なお、回路基板３００に形成された信号線を介して、液晶駆動電圧出力端子とこれに対応する液晶駆動電圧入力端子とを電気的に接続するようにしてもよい。
【００５８】
以上説明したように、第３の実施形態においては、マスター・スレーブ構成で接続された場合でもブロックむらを低減して低コスト化に寄与できる液晶駆動装置１００Ｍを提供できる。また、単独で用いられる場合であっても、液晶駆動装置１００Ｍ内の液晶駆動電圧生成回路を使用でき、外部に電源回路を設けることなく、低コストで、表示モジュール２０ｂや表示システム１０ｂを提供できるようになる。
【００５９】
なお、液晶駆動装置１００Ｍにおいて、液晶駆動電圧出力端子（例えばＶ３Ｏ）と、これに対応する液晶駆動電圧入力端子（例えばＶ３Ｉ）とは隣接して配置されること望ましい。こうすることで、液晶駆動電圧出力端子と、これに対応する液晶駆動電圧入力端子とを最短距離で電気的に接続できる。例えば図１１に示すように、ＩＴＯ配線で接続した場合でも、配線抵抗をできるだけ小さくできるため、電圧降下を防ぎ、より高精度な液晶駆動電圧を用いてＬＣＤパネル３０を駆動することができる。なお、図７に示すようにマスター・スレーブ構成で接続される場合であっても、同様に液晶駆動電圧出力端子と、これに対応する液晶駆動電圧入力端子とを最短距離で電気的に接続できる。そのため、マスター・スレーブ構成で接続される場合でも、液晶駆動装置１００Ｍでは、図７に示すように、液晶駆動電圧出力端子と、これに対応する液晶駆動電圧入力端子とは隣接して配置されることが望ましい。
【００６０】
〔電子機器〕
第１の実施形態、第２の実施形態又は第３の実施形態における液晶駆動装置１００Ｍ、これを含む表示モジュール、表示システムは、例えば次のような電子機器に適用することができる。
図１２（Ａ）、図１２（Ｂ）に、第１の実施形態〜第３の実施形態のいずれかの実施形態が適用された電子機器の構成を示す斜視図を示す。図１２（Ａ）は、モバイル型のパーソナルコンピューターの構成の斜視図を表す。図１２（Ｂ）は、携帯電話機の構成の斜視図を表す。
【００６１】
図１２（Ａ）に示すパーソナルコンピューター８００は、本体部８１０と、表示部８２０とを含む。表示部８２０として、上記のいずれかの実施形態における表示モジュール又は表示システムが適用される。本体部８１０は、ホストプロセッサーを含み、この本体部８１０にはキーボード８３０が設けられる。即ち、パーソナルコンピューター８００は、少なくとも上記の実施形態における液晶駆動装置１００Ｍを含んで構成される。キーボード８３０を介した操作情報がホストプロセッサーによって解析され、その操作情報に応じて表示部８２０に画像が表示される。
【００６２】
図１２（Ｂ）に示す携帯電話機９００は、本体部９１０と、表示部９２０とを含む。表示部９２０として、上記のいずれかの実施形態における表示モジュール又は表示システムが適用される。本体部９１０は、ホストプロセッサーを含み、この本体部９１０にはキーボード９３０が設けられる。即ち、携帯電話機９００は、少なくとも上記の実施形態における液晶駆動装置１００Ｍを含んで構成される。キーボード９３０を介した操作情報がホストプロセッサーによって解析され、その操作情報に応じて表示部９２０に画像が表示される。
【００６３】
なお、第１の実施形態〜第３の実施形態のいずれかの実施形態が適用された電子機器として、図１２（Ａ）、図１２（Ｂ）に示すものに限定されるものではない。例えば、情報携帯端末（ＰＤＡ：Personal Digital Assistants）、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【００６４】
以上、本発明に係る集積回路装置、表示モジュール、表示システム及び電子機器等を上記のいずれか実施形態に基づいて説明したが、本発明は上記のいずれか実施形態に限定されるものではない。例えば、その要旨を逸脱しない範囲において種々の態様において実施することが可能であり、次のような変形も可能である。
【００６５】
（１）上記のいずれかの実施形態では、集積回路装置として液晶駆動装置を例について説明したが、本発明はこれに限定されるものではない。例えば、有機ＥＬディスプレイパネルやプラズマディスプレイ等の他の表示パネルを駆動する駆動装置に適用することができる。また、本発明は、表示パネルを駆動する駆動装置に限定されるものではなく、電源回路を内蔵する集積回路装置であって、種々の基板に実装されるものに適用できる。
【００６６】
（２）上記のいずれかの実施形態において、電源回路としての液晶駆動電圧生成回路１５０が液晶駆動電圧を生成し、処理回路としての液晶駆動回路１４０が該液晶駆動電圧を用いる例を説明したが、本発明はこれに限定されるものではない。例えば、電源回路が生成した電源電圧が外部を介して供給された処理回路の動作電源電圧（高電位側電源電圧又は低電位側電源電圧）として用いられてもよい。
【００６７】
（３）第１の実施形態又は第２の実施形態では、マスター・スレーブ構成で接続された液晶駆動装置１００Ｍ、１００ＳによりＬＣＤパネル３０を駆動する例について説明したが、本発明はこれに限定されるものではない。本発明は、マスター・スレーブ構成で接続される液晶駆動装置の数に限定されるものではない。
【００６８】
（４）第１の実施形態又は第２の実施形態では、液晶駆動装置１００Ｓが液晶駆動装置１００Ｍと同様の構成である例に説明したが、本発明はこれに限定されるものではない。液晶駆動装置１００Ｓが、液晶駆動電圧生成回路を内蔵しないものであってもよい。
【００６９】
（５）上記のいずれか実施形態において、本発明を、集積回路装置、これを含む表示モジュール、表示システム及び電子機器等として説明したが、本発明はこれに限定されるものではない。例えば、本発明に係る集積回路装置が内蔵する電源回路を用いて、他の集積回路装置等に電源を供給する方法を含んでもよい。
【符号の説明】
【００７０】
１０，１０ａ，１０ｂ…表示システム、  ２０，２０ａ，２０ｂ…表示モジュール、
３０…ＬＣＤパネル、  ４０…画素形成領域、  １００Ｍ，１００Ｓ…液晶駆動装置、
１１０…インターフェイス回路、  １１２…発振回路、  １１４…制御回路、
１１６…モード設定レジスター、  １１８…コモンアドレスデコーダー、
１２０…コモン出力演算回路、  １２２…ページアドレス制御回路、
１２４…カラムアドレス制御回路、  １２６…ラインアドレス制御回路、
１２８…表示データＲＡＭ、  １３０…表示データラッチ回路、
１３２…ＭＬＳデコーダー、  １４０…液晶駆動回路、  １４２…コモンドライバー、
１４４…セグメントドライバー、  １５０…液晶駆動電圧生成回路、
１５２…昇圧回路、  １５４…レギュレーター、
２００，２００ｂ，２８０ａ，２８２ａ…フレキシブル基板、
２０２，２０４，２０８，２１０，３０２，３０４，３０６，３０８…信号線、
３００…回路基板、  Ｃｂ，Ｃｂ１〜Ｃｂ６…バイパスコンデンサー、
ＣＯＭ１〜ＣＯＭＮ，ＣＯＭｎ…コモン電極、  ＤＶ…液晶駆動電圧、
ＭＶ１，ＭＶ２，ＭＶ３，Ｖ１，Ｖ２，Ｖ３，ＶＣ…液晶駆動電圧、
ＭＶ１Ｏ，ＭＶ２Ｏ，ＴＭ１，Ｖ１Ｏ，Ｖ２Ｏ，Ｖ３Ｏ，ＶＣＯ…液晶駆動電圧出力端子、  ＭＶ１Ｉ，ＭＶ２Ｉ，ＴＭ２，ＴＭ１０，Ｖ１Ｉ，Ｖ２Ｉ，Ｖ３Ｉ，ＶＣＩ…液晶駆動電圧入力端子、
ＳＥＧ１〜ＳＥＧＭ，ＳＥＧｍ…セグメント電極、  ＴＭ３，ＴＭ１１…接地電源端子
【図１】
2012018297.tif 000003
【図２】
2012018297.tif 000004
【図３】
2012018297.tif 000005
【図４】
2012018297.tif 000006
【図５】
2012018297.tif 000007
【図６】
2012018297.tif 000008
【図７】
2012018297.tif 000009
【図８】
2012018297.tif 000010
【図９】
2012018297.tif 000011
【図１０】
2012018297.tif 000012
【図１１】
2012018297.tif 000013
【図１２】
2012018297.tif 000014